(57)【要約】【課題】ユーザ端末装置に対するサービスを提供する方法を提供する。【解決手段】この方法によれば、第１のネットワークが、ある料金レートでサービスを提供するようにユーザ端末装置と合意し、次に、そのサービスを提供することを開始する。その後、少なくとも１つの他のネットワークが、そのサービスを提供するように第１のネットワークによって招待される。第１のネットワークは、他のネットワーク群から、そのユーザ端末装置に対してそのサービスを提供する少なくとも１つの申し出を受ける。次に、第１のネットワークは、それら申し出の１つを受諾して、前記他のネットワーク群の１つのネットワークが、その後、第１のネットワークが関与することなしに、そのユーザ端末装置にサービスを提供し、請求を行うようにする。【選択図】図２
2006174479.tif 000002
【特許請求の範囲】
【請求項１】
ネットワーク・エンティティ群がユーザ端末装置にサービスを提供する方法であって、第１のネットワーク・エンティティが
ある料金レートで前記サービスを提供することをユーザ端末装置と合意する工程と、
前記サービスを提供することを開始する工程と、
その後、前記サービスを提供するように、少なくとも１つの他のネットワーク・エンティティを招待する工程と、
前記少なくとも１つの他のネットワーク・エンティティから、前記ユーザ端末装置に対する前記サービスを提供する少なくとも１つの申し出を受ける工程と、
前記申し出のうちの１つを受諾して、前記第１のネットワーク・エンティティが、前記サービスを提供すること、および前記サービスの代金を請求することをともに止め、前記サービスの前記提供を、前記選択された他のネットワーク・エンティティに渡す工程とを実行する方法。
【請求項２】
前記ユーザ端末装置は、無線ユーザ端末装置を含む請求項１に記載の方法。
【請求項３】
招待する前記工程は、前記第１のネットワーク・エンティティと前記ユーザ端末装置の間におけるチャネル条件が、閾値レベルを下回るまで低下したという判定によってトリガされる請求項２に記載の方法。
【請求項４】
招待する前記工程は、前記ユーザ端末装置に対する前記サービスが、閾値レベルを超える干渉を経験していることによってトリガされる請求項２に記載の方法。
【請求項５】
前記第１のネットワーク・エンティティは、１つのタイプの無線アクセス・ネットワークであり、その後、前記サービスを提供する前記他のネットワーク・エンティティ群の前記１つのエンティティは、別のタイプの無線アクセス・ネットワークである請求項２に記載の方法。
【請求項６】
招待する前記工程は、前記第１のネットワーク・エンティティにかかっているトラフィック負荷が、閾値レベルを超えて上昇することによってトリガされる請求項１に記載の方法。
【請求項７】
招待する前記工程は、前記第１のネットワーク・エンティティが、プレミアム価格を支払う顧客と比べて、より低い価格を支払うユーザにサービスを提供するのに、所定のレベルを超えるリソースを使用していることによってトリガされる請求項１に記載の方法。
【請求項８】
申し出を受諾する前記工程は、選択された前記他のネットワーク・エンティティが、前記第１のネットワーク・エンティティと前記ユーザ端末装置との間で合意されたサービス品質を約束しないと判定した場合には、前記第１のネットワーク・エンティティが、前記ユーザ端末装置のために余剰金を払い戻す工程を含む請求項１に記載の方法。
【請求項９】
前記他のネットワーク・エンティティ群の１つのエンティティによって、その後、提供される前記サービスは、複数のサービスの１つであり、前記サービス群は、それまで、前記第１のネットワーク・エンティティによって前記ユーザ端末装置に提供されており、前記第１のネットワーク・エンティティは、その後、前記サービス群のその他のサービス群を前記ユーザ端末装置に提供する請求項１に記載の方法。
【請求項１０】
前記少なくとも１つの他のネットワーク・エンティティのそれぞれは、前記招待を受け取り、申し出を提供するように動作する交渉エージェントを含み、前記第１のネットワーク・エンティティは、前記招待の前記送信を制御し、前記受諾を行うように動作する交渉エージェントを含む請求項１に記載の方法。
【発明の詳細な説明】
【技術分野】
【０００１】
本発明は、遠隔通信ネットワークにおいてサービスを扱うことに関する。
【背景技術】
【０００２】
エージェント・ベースのアーキテクチャが、遠隔通信システム、特に無線遠隔通信システムを管理する仕方として示唆されている。エージェント・ベースのアーキテクチャは、分散された自律的なソフトウェア・エンティティが互いに対話する、分散コンピューティングの一形態である。それらのソフトウェア・エンティティは、交渉エージェント、または単にエージェントと呼ばれる。
【０００３】
遠隔通信環境では、エージェント・ベースのアーキテクチャは、ユーザによって要求されるサービスに対する料金レートが交渉されることを可能にする。料金レートは、サービスの性質に、例えば、ビデオ・ストリーミングまたは音声に依存する可能性がある。他の諸要因が、ユーザ端末装置が無線の場合、ユーザ端末装置への現在のチャネル条件、ならびに現在の干渉レベルやネットワーク負荷のレベルなどの、ネットワーク条件である。
【０００４】
それらの他の諸要因は、ユーザへのサービスの提供中、ときとして非常に劇的に変化する。例えば、チャネル条件に起因する減衰は、ユーザ端末装置が移動する場合、１００ｄＢを超えて変化する可能性がある。また、ユーザ端末装置が移動するにつれ、ユーザ端末装置は、ネットワークから受信される信号に対する、様々なレベルの干渉を経験する可能性がある。この干渉は、近くのセル群が、重なり合う周波数帯域のチャネル群を使用していることに起因する。それらの変化の結果、一部のユーザ端末装置へのコールを扱うのに、ときとして、大量のネットワーク・リソースが要求される可能性がある。これは、ネットワーク輻輳を生じさせる可能性があり、場合により、コールがドロップされることにつながる可能性がある。
【発明の開示】
【発明が解決しようとする課題】
【０００５】
これらの変化にも関わらず、サービスに対する料金レートは、あらかじめ交渉済みであり、したがって、一定のままであることに留意されたい。その結果、サービスに対する交渉済みの料金レートは、ネットワークによって費やされる無線リソースにもはや比例していない可能性がある。詳細には、ネットワークは、わずかしか支払っていないが、あいにく、大量の、伝送電力などの、ネットワークのリソースを要する一部のユーザ端末装置に、サービスを提供することを背負い込む可能性がある。例えば、最初は、ネットワーク・リソースの点でサポートするのが安価であるユーザ端末装置が、悪化した無線減衰条件を経験している場所に移動するようなことがあった場合、ネットワーク・リソースの点でサポートするのが高価になる可能性がある。これは、ネットワーク事業者には、特に、ユーザ端末装置が、変化する無線条件の結果、競合する事業者のネットワークへのはるかに良好な信号パスを有する場合、もどかしいことである。
【０００６】
この問題を回避する１つの方法は、下請け契約をすることによってである。下請け契約とは、第１のネットワークの事業者が、ユーザとの取引関係を保持するが、第２のネットワークの事業者に支払って、要求されるサービスを提供する場合である。したがって、第１のネットワークは、少なくとも、サービスの代金をユーザに請求する限りにおいて、依然として関与する。そのようなアプローチは、欠点を有する。いずれのネットワークがサービスを提供しているのかについて、ユーザへの透明性を欠いている。さらに、ドロップされたコール、または劣悪なサービス品質に関する違約金が、サービスを提供するネットワークの事業者に必ずしも関連付けられない。
【課題を解決するための手段】
【０００７】
本発明人らは、ネットワークが、１つのネットワークから別のネットワークへ、ユーザに対するサービスを移転するように交渉することができることが有利であることに気付いた。したがって、本発明の実施例は、ユーザ端末装置に対するサービスを提供する方法である。この方法によれば、第１のネットワークが、ある料金レートでサービスを提供するようにユーザ端末装置と合意し、次に、そのサービスを提供することを開始する。その後、少なくとも１つの他のネットワークが、そのサービスを提供するように第１のネットワークによって招待される。第１のネットワークは、他のネットワーク群から、そのユーザ端末装置に対してそのサービスを提供する少なくとも１つの申し出を受ける。次に、第１のネットワークは、それら申し出の１つを受諾して、前記他のネットワーク群の１つのネットワークが、その後、第１のネットワークが関与することなしに、そのユーザ端末装置にサービスを提供し、請求を行うようにする。
【０００８】
ネットワーク群が、ユーザ端末装置に対するサービスを提供する契約を、そのサービスが提供されながら、売買するために交渉するシステムが、提供されることが可能である。契約は、例えば、第１のネットワークの無線チャネル条件、干渉、またはネットワーク負荷が、第２のネットワークによって、より良好にサービスが提供されることが可能であるような程度である場合に、移転されることが可能である。
【０００９】
１つのネットワークから別のネットワークへのサービスの移転は、無線であるユーザ端末装置が、その別のネットワークに関して、より良好な無線条件を経験する場合に、行われることが可能である。したがって、ユーザにサービスを提供するのに要するネットワーク・リソースが、より少なくなる。その結果、ネットワーク群は、全体として、一度に、より多くのユーザにサービスを提供することができる。つまり、システム容量が増加する。
【００１０】
また、本発明は、ネットワーク内の他の基地局群が、第１の基地局によって提供されている、ユーザに対するサービスを引き継ぐために入札することができる、対応するアプローチも提供する。
【００１１】
本発明の実施例は、第１のネットワーク・エンティティと少なくとも１つの他のネットワーク・エンティティとを含む遠隔通信システムを提供し、第１のネットワーク・エンティティは、交渉エージェントと遠隔通信装置とを含み、交渉エージェントは、ある料金レートでサービスを提供するようにユーザ端末装置と合意するように構成され、遠隔通信装置は、ユーザ端末装置にサービスを提供することを開始するように構成され、交渉エージェントは、サービスを提供するように、少なくとも１つの他のネットワーク・エンティティに招待を送信することを制御するように構成され、交渉エージェントは、前記少なくとも１つの他のネットワーク・エンティティから、ユーザ端末装置にサービスを提供する少なくとも１つの申し出を受け取るように構成され、交渉エージェントは、それらの申し出の１つを受諾するように構成され、前記第１のネットワーク・エンティティは、その受諾に応答して、サービスを提供すること、およびサービスの代金を請求することを止め、サービスの提供を前記他のネットワーク・エンティティ群の１つのエンティティに渡すように構成されている。
【００１２】
好ましくは、ネットワーク・エンティティは、遠隔通信ネットワークである。好ましくは、ネットワーク・エンティティは、無線遠隔通信のための基地局である。好ましくは、ユーザ端末装置は、無線ユーザ端末装置を含む。
【００１３】
好ましくは、交渉エージェントは、招待が送信されなければならないだけ十分にチャネル条件が劣悪であるかどうかを判定する手段を含む。好ましくは、交渉エージェントは、招待が送信されなければならないだけ十分にユーザ端末装置に対する干渉が高いかどうかを判定する手段を含む。好ましくは、第１のネットワーク・エンティティは、１つのタイプの無線アクセス・ネットワークであり、その後にサービスを提供する、他のネットワーク・エンティティ群の１つのエンティティは、別のタイプの無線アクセス・ネットワークである。
【００１４】
好ましくは、交渉エージェントは、招待が送信されなければならないだけ十分に第１のネットワークにかかるトラフィック負荷が高いかどうかを判定する手段を含む。
好ましくは、交渉エージェントは、プレミアム価格を支払う顧客と比べて、より低い価格を支払うユーザにサービスを提供するのに、所定のレベルを超えるリソースを第１のネットワーク・エンティティが使用しており、したがって、招待が送信されるべきかどうかを判定する手段を含む。
【００１５】
好ましくは、交渉エージェントは、第１のネットワークとユーザ端末装置の間で合意されたサービス品質レベルを、選択された他のネットワーク・エンティティが保証せず、したがって、第１のネットワーク・エンティティが、ユーザ端末装置の貸方に支払いを行うことを判定するように構成される。
【００１６】
好ましくは、その後、他のネットワーク・エンティティ群の１つのエンティティによって提供される前記サービスは、複数のサービスの１つであり、前記サービス群は、それまで、第１のネットワーク・エンティティによってユーザに提供されており、第１のネットワーク・エンティティは、その後、前記サービス群の他のサービスをユーザ端末装置に提供する。
【００１７】
好ましくは、少なくとも１つの他のネットワーク・エンティティのそれぞれは、招待を受け取り、申し出を提供するように動作するそれぞれの交渉エージェントを含み、第１のネットワーク・エンティティの交渉エージェントは、招待の送信を制御し、受諾を行うように構成される。
【００１８】
本発明は、添付の図面を参照して、限定的ではない諸実施形態の以下の説明を読むことで、よりよく理解されよう。
【発明を実施するための最良の形態】
【００１９】
図１に示すとおり、第１のＲＡＮ（無線アクセスネットワーク）１０は、交渉エージェント１２であるソフトウェア・エンティティを含む。また、第２の無線アクセスネットワーク１４も、交渉エージェント１６の対応するソフトウェア・エンティティを含む。ネットワーク１０、１４は、ＧＳＭ（Ｇｌｏｂａｌ  Ｓｙｓｔｅｍ  ｆｏｒ  Ｍｏｂｉｌｅｓ）ネットワーク、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍｓ）ネットワーク、またはＷＬＡＮ（無線ローカル・エリア・ネットワーク）ネットワークなどの、無線アクセス・ネットワークである。以上のネットワークは、データ・サービス、音声サービス、ビデオ・サービス、またはその他のサービスを提供することができる。各ネットワーク１０、１４は、対応する事業者の管理下にある。ネットワーク１０、１４は、カバレッジの区域が重なり合い、ある場所におけるユーザ端末装置が、いくつかのネットワークの１つに接続することができるようになっている。
【００２０】
ブローカ１８として知られる、やはり交渉エージェントである別のソフトウェア・エンティティが提供される。移動体であるユーザ端末装置群２０が提供され、簡明にするため、そのうちの１つを図１に示す。各移動ユーザ端末装置２０は、ユーザ・エージェント２２として知られる、交渉エージェントであるソフトウェア・エンティティを内部に含む。
【００２１】
ブローカ１８は、ユーザ端末装置２０、ならびにネットワーク１０、１４とデータを交換する。詳細には、ブローカ１８は、ユーザ端末装置２０に対するサービスの提供に関する契約を交渉するように、競売機構を提供する。具体的には、これは、ブローカ１８、各ネットワーク１０、１４のエージェント１２、１６、およびユーザ端末装置２０のユーザ・エージェント２２の間における通信によって行われる。
【００２２】
この実施例では、ネットワークのエージェント１２、１６は、それぞれのネットワーク１０、１４の中に存在するが、他の諸実施形態では、そうである必要はない。この実施例では、ブローカ１８は、ネットワーク１０、１４とは別個のプロセッサ（図示せず）上に存在するが、やはり、他の実施例では、ブローカは、別の場所、例えば、ネットワーク群の１つのネットワークの中に存在することも可能である。ユーザ・エージェント２２は、この実施例では、移動端末装置２０の上に存在するが、他の実施例では、別個のプロセッサ内部、またはネットワーク群の１つのネットワークの中などの、別の場所に存在することも可能である。
【００２３】
ユーザ端末装置２０に対するサービスが提供される前に、ブローカ１８は、いずれが、要求されるサービスを提供するかについて、ネットワーク１０、１４間で初期競売を行う。ブローカ１８は、その競売に勝ったネットワークに、このケースでは、ネットワーク１０に、ユーザ端末装置２０にサービスを提供する契約を与える。契約は、どのようなタイプのサービスが、ユーザにかかるどのような費用と引き換えに、ネットワーク１０によって提供されるかを述べる。費用は、単位時間当りの料金レート、または転送されるデータ量当りの料金レートなどである。
【００２４】
第１のネットワーク１０を介して、サービスがユーザ端末装置２０に提供されている間に、例えば、無線チャネル条件が低下した、または干渉レベルが増加した場合、ブローカ１８は、契約が第２のネットワーク１４に移転されるかどうかを判定するために、ネットワーク１０、１４の対応するエージェント１２、１６とさらに対話する。交渉の結果が、図２に示すとおり、契約が移転されることであった場合、第２のネットワーク１４が、サービスの残りの部分を代わりに提供する。
【００２５】
交渉プロセス
図２は、ユーザ端末装置２０に対するサービスが、ネットワーク１０、１４間で移転されることが可能な、交渉プロセスを示す。図２に示すとおり、ユーザに対するサービスは、最初、第１のネットワーク１０に対するコール接続を介して提供される（工程ａ）。コール中、無線チャネル条件が低下すること可能であるか、または干渉が増大する（工程ｂ）。干渉レベル、または劣悪な無線チャネル条件にも関わらず、ユーザにサービスを提供することを続けるのに要するリソースを考慮することにより、第１のネットワーク１０は、他のユーザらとの、より収益性の高い契約のためにリソースを利用可能にすることにより、収益を増加させようとして、そのユーザ端末装置に関連する契約を売りに出すことを決める（工程ｃ）。ブローカ１８から、第２のネットワーク１４のエージェント１６に提供される契約の詳細を考慮することから、エージェント１６は、移動端末装置２０との契約のために入札することを決める。次に、この入札が行われる（工程ｄ）。次に、入札の詳細が、ブローカ１８を介して、第１のネットワーク１０のエージェント１２に送られる。次に、エージェント１２が、その入札を受諾するか否か決定する（工程ｅ）。エージェント１２が、入札を受諾しないと決めた場合（工程ｈ）、契約は、移転されず（工程ｉ）、それに相応して、第１のネットワーク１０が、移動端末装置２０に対するサービスを提供することを続ける。反対に、エージェント１６が、入札を受諾することを決めた場合、第２のネットワーク１４にそのように通知が行われ、それに相応して、サービスの残りの部分が、第２のネットワーク１４によって移動端末装置２０に提供される。第２のネットワーク１４は、契約の中でユーザ端末装置２０と第１のネットワーク１０の間で以前に合意されたのと同一の料金レートで、ユーザ端末装置に請求を行う。
【００２６】
この契約は、単一のセッション中の特定のユーザ端末装置に対するサービスの提供に関してである。そのセッション中、異なるネットワークへの移転が行われることが可能である。他の点では同様である別の実施例（図示せず）では、契約は、長期であり、複数のセッションを範囲に含み、したがって、セッション中、またはセッションとセッションの間で移転が行われることが可能である。
【００２７】
簡明にするため、２つのネットワーク１０、１４だけを図１に示す。他のネットワーク群も、セッションの残りの部分に関するサービスをユーザ端末装置２０に提供する目的で、契約を引き継ぐために入札することができる。
【００２８】
引き継ぎを行うように他のネットワーク群を招待するトリガ
他のネットワーク群による獲得の可能性のために、ユーザとの契約を売り出すこのアプローチは、いくつかの、結果として生じる利点を有する。ネットワークは、弱いチャネル条件、または高い干渉を被っており、したがって、リソースのほとんどを使い尽くしているユーザから、自らを解放することができる。その結果、コールがドロップされる可能性がより低くなる。関与するすべてのネットワークが、リソースに貪欲なユーザらを、それらのユーザが、それほど貪欲にはならない他のネットワークに肩代わりさせることができるという利益を得る。結果は、関与するすべてのネットワークに関する互いに有利な状況である。その結果、ネットワークは、任意の一時点で、より多くのユーザに対するサービスを扱うことができる。特に、輻輳したシステムにおいて、全体的なシステム容量が、結果として、自動的に最適化される。
【００２９】
この条件は、無線条件が比較的ゆっくりと変化する場合に、特に有用である。というのは、その場合、ネットワーク群に契約を売買させることによって対応する時間が、エージェント・アーキテクチャにあるからである。
【００３０】
ネットワークが、契約を売りに出すことを決める別の理由は、より高い伝送電力が要求されることを生じさせ、一部のケースでは、移動ユーザ端末装置に対するサービスがドロップされるリスクを生じさせさえする、高い干渉が存在する場合である。別の理由は、単に、重い負荷のかかったネットワークにおいてリソースを解放することである。
【００３１】
一部の実施形態では、契約を現在、扱っているネットワークは、他のネットワークに契約を売りに出すことを、それにより、コールをドロップすることなしに、より高価値の顧客向けにリソースが解放されることに依拠して、決めることができる。したがって、契約は、チャネル条件の低下、あるいは干渉または負荷の増加が全くない場合でさえ、売りに出されることが可能である。
【００３２】
サービス品質
多くのシナリオでは、第２のネットワーク１４は、契約に関連するサービス品質保証が完全に満たされるように、例えば、過度の遅延を回避して、十分に良好なサービスを提供することを引き受ける。その結果、第１のネットワーク１０の事業者は、契約を第２のネットワーク１４の事業者に移転することについて、ユーザに全く違約金を支払わない。違約金は、ユーザへの、払戻金、または料金の減額である。第２のネットワーク１４に関連するエージェント１６が、同一の高レベルのサービス品質を保証することができない場合でも、契約の売却は、より低いサービス品質が提供されることに依拠して、依然として可能である。しかし、そのケースでは、第１のネットワーク１０の事業者は、サービス品質の低下に関して、関連する違約金をユーザに支払う。多くのシナリオでは、契約は、サービス品質の低下の度合いに対応する、段階分けされた一連の違約金を有する。特に、サービス品質低下に起因する違約金は、ユーザが完全にドロップされた場合に被る違約金より小額である可能性が高いため、契約移転、およびその結果として生じる、第２のネットワークによるサービス提供は、依然として、第１のネットワークから見て引き合う可能性がある。
【００３３】
契約の一部を移転すること
図３に示すとおり、契約全体が別のネットワークに移転されるのではなく、契約が分割されることが可能である。図３（ａ）に示すとおり、初期契約は、移動端末装置に対する音声サービスおよびビデオ・サービスの提供に関してである。そのサービスを提供する第１のネットワーク１０’が、追加のユーザに起因して輻輳し、したがって、第１のネットワーク１０’は、契約の音声部分を、その部分がわずかしかリソースを要さないために、保持しながら、契約のビデオ部分を、競合するネットワークに売却することを決める。したがって、元の契約は、２つに、すなわち、音声サービスに関する契約と、ビデオ・サービスに関する契約に分割される。図３（ｂ）に示すとおり、交渉の結果、ビデオ・サービスに関する契約が、第２のネットワーク１４’に移り、そのため、第２のネットワーク１４’が、以降、移動端末装置２０’に対するビデオ・サービスを提供する。その場合、第１のネットワーク１０’と第２のネットワーク１４’がともに、要求されるサービスを提供する際に、ユーザ端末装置２０’と取引関係を有することに留意されたい。しかし、ユーザにかかる総価格は、音声伝送とビデオ伝送が異なるネットワーク１０’、１４’によって提供されても、同一のままである。２つのネットワーク１０’、１４’は、もちろん、ＷＬＡＮ、ＵＭＴＳ、およびＧＳＭなどの、異なるタイプの無線アクセスネットワークであることが可能である。
【００３４】
単一のネットワーク内の基地局間における交渉
ネットワーク間でどのように契約が移転されることが可能であるかについての実施例を提示してきた。代替として、契約は、図４に示すとおり、同様の原理で、１つのネットワークの異なる部分間で移転されることも可能である。
【００３５】
図４に示すとおり、１つの無線アクセスネットワーク１０”が、２つの基地局２４、２６を含む。このシナリオでは、基地局２４、２６はそれぞれ、関連するエージェント（図示せず）を含む。図４（ａ）に示すとおり、サービスは、第１の基地局２４を介して移動ユーザ端末装置２０”に提供されているが、例えば、無線チャネル条件が低下した、または干渉レベルが増加した場合、契約が第２の基地局２６に移転されるかどうかを判定するために、ブローカ１８が、基地局２４、２６の対応するエージェントとさらに対話する。交渉の結果が、図４（ｂ）に示すとおり、契約が移転されることであった場合、第２の基地局２６が、その後、ユーザ端末装置２０”に対するサービスの残りの部分を代わりに提供する。ネットワーク１０”内で、基地局２４、２６は、同一タイプ、例えば、（ＵＭＴＳ、ＷＬＡＮ、ＧＳＭ）であること、または互いに異なることが可能である。このアプローチは、ネットワーク１０”の内部容量を自動的に向上させる。
【００３６】
全般
本発明は、本発明の趣旨または基本的特徴を逸脱することなく、他の特定の諸形態で、例えば、無線接続ではなく、有線接続が関わり、移動体ではないユーザ端末装置群が関わる遠隔通信システムにおいて実施することもできる。説明した諸実施形態は、すべての点で、単に例示的であり、限定的ではないと見なされるものとする。したがって、本発明の範囲は、以上の説明によってではなく、添付の特許請求の範囲によって示される。特許請求の範囲の均等の趣意および範囲に含まれるすべての変更が、特許請求の範囲に包含されるものとする。
【図面の簡単な説明】
【００３７】
【図１】（ａ）第１のネットワークから第２のネットワークへ、ユーザに対するサービスの提供を移転する交渉中、および（ｂ）交渉が完了した後の遠隔通信システムを示す図である。
【図２】図１に関して述べた交渉プロセスを示す流れ図である。
【図３】（ａ）ユーザに提供されているサービスの一部を移転する交渉中、および（ｂ）その交渉が完了した後の遠隔通信システムを示す図である。
【図４】（ａ）ユーザ端末装置に対するサービスの提供の移転に関する、ネットワークの基地局間の交渉中、および（ｂ）交渉が完了した後の遠隔通信システムを示す図である。
【図１】
2006174479.tif 000003
【図２】
2006174479.tif 000004
【図３】
2006174479.tif 000005
【図４】
2006174479.tif 000006